(57)【要約】【課題】制御基板に対する不正行為の予防および早期発見を可能とする構成の基板ケースユニットを提供する。【解決手段】基板ケースユニットは、ボトム側係合部１５０に貼付される封印シール１７０と、ボトム側係合部１５０に固定状態で取り付けられるシールカッター１８０とを備え、シールカッター１８０の係合アーム１８１とトップ側係合部１６０の係合アーム１６１とが係合することにより、トップケースが開放方向にスライド移動することが規制され、トップケースおよびシールカッター１８０の一部を切断してシールカッター１８０をボトム側係合部１５０に固定された固定部分と係合アーム１８１を有する破断部分とに分断させることにより、トップケースが開放方向にスライド移動可能となり、トップケースを開放方向にスライド移動させたときにシールカッター１８０の破断部分が一緒にスライド移動して封印シール１７０を破断するように構成される。【選択図】図１１
2015204923.tif 000002
【特許請求の範囲】
【請求項１】
第１ケース部材および前記第１ケース部材に着脱自在に取り付けられる第２ケース部材を備え、前記第１ケース部材に対して前記第２ケース部材を閉止方向にスライド移動させることにより前記第２ケース部材が前記第１ケース部材に閉止状態で保持され、前記第１ケース部材および前記第２ケース部材に囲まれて形成されるケース内部に制御基板を収容する基板ケースユニットにおいて、
前記第１ケース部材の内部に貼付される封印シールと、
前記第１ケース部材の内部に固定状態で取り付けられるシール破断部材とを備え、
前記シール破断部材は、前記閉止状態において前記第２ケース部材の内部に形成されたケース側係合部と係合する破断側係合部を有し、
前記第１ケース部材に固定状態で取り付けられた前記シール破断部材の前記破断側係合部と前記第２ケース部材の前記ケース側係合部とが係合することにより、前記第１ケース部材に対して前記第２ケース部材が開放方向にスライド移動することが規制され、
前記第２ケース部材および前記シール破断部材の一部を切断して前記シール破断部材を前記第１ケース部材に固定された固定部分と前記破断側係合部を有する破断部分とに分断させることにより、前記第１ケース部材に対して前記第２ケース部材が開放方向にスライド移動可能となり、第２ケース部材を開放方向にスライド移動させたときに前記シール破断部材の前記破断部分が一緒にスライド移動して前記封印シールを破断するように構成されたことを特徴とする基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパー等の工具を用いて切り離さない限り基板ケースを開放不能にするロック機構が設けられている（例えば、特許文献１を参照）。
【０００４】
また、遊技機の固有情報や、制御基板の識別情報等を記憶させた無線読み取り可能なＩＣタグを有した封印シールをケース本体およびケース蓋の境界を跨ぐように貼付し、その封印シールを外方からシールカバー部材により包囲し、基板ケースを封印することも知られている（例えば、特許文献２を参照）。このように封印シールを用いた場合には、基板ケースを開放するために封印シールを剥がす必要があり、そのときに封印シールが破断され、目視によりその破断箇所を確認できるとともに、無線リーダ等によってＩＣタグの格納情報を読み取ることができなくなるため、基板ケースに対する不正なアクセスがあった場合の痕跡をより明確に残すことができる。
【０００５】
このように封印シールは、上記ロック構造とともに基板ケースの不正開放対策に資することができるが、これが巧妙化した手口により不正に剥がされて（例えば、剥離剤を用いて剥がされて）再使用されると、基板ケースそのものを交換するような不正行為を却って発見し難くなる。そのため、封印シールを外方から包囲するシールカバー部材に封印シールを破断するための破断突起を設け、この破断突起により基板ケースを開放するためにシールカバー部材を取り外したときに封印シールが復元不能な程度に破断される構成が提案されている（例えば、特許文献３を参照）。
【先行技術文献】
【特許文献】
【０００６】
【特許文献１】特開２００４‐６５２８０号公報
【特許文献２】特開２００９‐２６１６４０号公報
【特許文献３】特開２０１０‐１７８９０３号公報
【発明の概要】
【発明が解決しようとする課題】
【０００７】
ところが、基板ケースが不正に開放された場合に、ケース本体およびケース蓋の少なくとも一方に破壊された痕跡が残り当該基板ケースを再使用できない状態となっても、シールカバー部材が無傷の状態で再使用可能であると、封印シールを真正品と外観上そっくりな偽造品にすり替えてしまえば、このシールカバー部材に同一機種から取り出した無傷の基板ケースを組み合わせることにより、新たな基板ケースを作り上げる所謂二個一（ニコイチ）と称される基板ケースの使い回しによって、外観上は開放前と同様の状態に複製されるおそれがある。このように制御基板が不正に改造されたとしても、偽造された封印シールに対して無線リーダ等による情報の読み取り検査等が実施されない限りにおいては、基板ケース自体は無傷であるため、目視では不正の痕跡を判別できず、不正行為の発見が遅れるという課題があった。
【０００８】
本発明は、このような課題に鑑みてなされたものであり、制御基板に対する不正行為の予防および早期発見を可能とする構成の基板ケースユニットを提供することを目的とする。
【課題を解決するための手段】
【０００９】
このような目的達成のために、本発明に係る基板ケースユニットは、第１ケース部材（例えば、実施形態におけるボトムケース１２０）および前記第１ケース部材に着脱自在に取り付けられる第２ケース部材（例えば、実施形態におけるトップケース１３０）を備え、前記第１ケース部材に対して前記第２ケース部材を閉止方向にスライド移動させることにより前記第２ケース部材が前記第１ケース部材に閉止状態で保持され、前記第１ケース部材および前記第２ケース部材に囲まれて形成されるケース内部に制御基板を収容するように構成される。その上で、前記第１ケース部材の内部に貼付される封印シールと、前記第１ケース部材の内部に固定状態で取り付けられるシール破断部材（例えば、実施形態におけるシールカッター１８０）とを備え、前記シール破断部材は、前記閉止状態において前記第２ケース部材の内部に形成されたケース側係合部（例えば、実施形態におけるトップ側係合部１６０の係合アーム１６１）と係合する破断側係合部（例えば、実施形態におけるシールカッター１８０の係合アーム１８１）を有し、前記第１ケース部材に固定状態で取り付けられた前記シール破断部材の前記破断側係合部と前記第２ケース部材の前記ケース側係合部とが係合することにより、前記第１ケース部材に対して前記第２ケース部材が開放方向にスライド移動することが規制される。そして、前記第２ケース部材および前記シール破断部材の一部を切断して前記シール破断部材を前記第１ケース部材に固定された固定部分と前記破断側係合部を有する破断部分とに分断させることにより、前記第１ケース部材に対して前記第２ケース部材が開放方向にスライド移動可能となり、第２ケース部材を開放方向にスライド移動させたときに前記シール破断部材の前記破断部分が一緒にスライド移動して前記封印シールを破断するように構成される。
【発明の効果】
【００１０】
本発明によれば、基板ケースユニットの再使用を防止することができ、これにより制御基板に対する不正行為の予防および早期発見に寄与することが可能である。
【図面の簡単な説明】
【００１１】
【図１】本実施形態に係る主制御基板ケースユニットを備えたぱちんこ遊技機の斜視図である。
【図２】上記ぱちんこ遊技機の背面図である。
【図３】上記主制御基板ケースユニットの分解斜視図である。
【図４】上記主制御基板ケースユニットにおける封印機構を構成するボトム側係合部を示す図であり、（ａ）は斜視図、（ｂ）は（ａ）と異なる角度から見た斜視図である。
【図５】上記ボトム側係合部を示す図であり、（ａ）は平面図、（ｂ）は側面図である。
【図６】上記封印機構を構成するトップ側係合部を示す図であり、（ａ）は上方から見た斜視図、（ｂ）は底面図である。
【図７】上記トップ側係合部を示す図であり、（ａ）は下方から見た斜視図、（ｂ）は（ａ）と異なる角度において下方から見た斜視図である。
【図８】上記封印機構を構成する封印シールを示す平面図である。
【図９】上記封印機構を構成するシールカッターを示す図であり、（ａ）は上方から見た斜視図、（ｂ）は下方から見た斜視図である。
【図１０】上記シールカッターを示す図であり、（ａ）は平面図、（ｂ）は底面図である。
【図１１】（ａ）は上記ボトム側係合部に封印シールを貼付する以前の状態を示す斜視図、（ｂ）はボトム側係合部にシールカッターを装着する以前の状態を示す斜視図である。
【図１２】（ａ）は上記トップ側係合部をボトム側係合部に係合させる以前の状態を示す斜視図、（ｂ）はトップケースを閉止方向にスライド移動させてトップ側係合部をボトム側係合部に係合させる途中の状態を示す斜視図である。
【図１３】（ａ）は上記トップ側係合部をボトム側係合部に係合させた状態を示す斜視図、（ｂ）は（ａ）の状態においてトップ側係合部を透明化させた状態を示す斜視図である。
【図１４】上記トップ側係合部をボトム側係合部に係合させた状態を示す断面図である。
【図１５】（ａ）上記主制御基板ケースユニットを開放させるためにトップ側係合部の一部を切断した状態を示す斜視図、（ｂ）は（ａ）の状態においてトップ側係合部を透明化させた状態を示す斜視図である。
【図１６】（ａ）上記トップケースを開放方向にスライド移動させてトップ側係合部とボトム側係合部との係合を解除させる途中の状態を示す斜視図、（ｂ）は（ａ）の状態においてトップ側係合部を透明化させた状態を示す斜視図である。
【図１７】（ａ）上記トップ側係合部とボトム側係合部との係合を解除させる以前の状態を示す断面図、（ｂ）は上記トップ側係合部とボトム側係合部との係合を解除させる途中の状態を示す断面図である。
【発明を実施するための形態】
【００１２】
以下、本発明の好ましい実施形態について図面を参照して説明する。本発明に係る基板ケースユニットを備えた遊技機の代表例として、ぱちんこ遊技機ＰＭの斜視図および背面図を図１および図２に示しており、まず、これらの図を参照してぱちんこ遊技機ＰＭの全体構成について説明する。
【００１３】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１４】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１５】
ガラス枠５の下部には遊技球を貯留する上下の球皿（上球皿６ａおよび下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１６】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１７】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉および着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００および演出制御基板ケースユニット２００が裏セットカバー３０Ｃにより覆われる）。
【００１８】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１９】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射および払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００２０】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００２１】
［主制御基板ケースユニットの構成］
次に、本実施形態に係る主制御基板ケースユニット１００の構成について図３〜図１７を用いて説明する。なお、図４〜図７および図９〜図１７においては、説明の理解を容易にするために、主制御基板ケースユニット１００から要部のみを切り離した状態でこれらのみを取り出して図示している。また、以降の説明においては、説明の便宜のため、上下、前後および左右の方向は図３の状態を基準にして定義し、図３に示す矢印の方向をそれぞれ上下方向、前後方向および左右方向と称して説明する。
【００２２】
主制御基板ケースユニット１００は、図３に示すように、ぱちんこ遊技機ＰＭにおける制御の中枢を担う前述の主制御基板４１と、主制御基板４１を内部に収容する略矩形箱状の基板ケース１１０と、基板ケース１１０を閉止状態において封印する封印機構１４０とを有して構成されている。
【００２３】
主制御基板４１は、詳細図示を省略しているが、矩形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面にネジ止め固定される。
【００２４】
基板ケース１１０は、遊技盤１０の背面に着脱されるボトムケース１２０と、このボトムケース１２０に着脱自在に取り付けられるトップケース１３０とを備えて構成されている。ボトムケース１２０およびトップケース１３０は、透明な樹脂材料（例えば、ポリカーボネート等）を用いて射出成形等の成形手段により形成され、外部からでも基板ケース１１０内を視認可能に構成されている。
【００２５】
ボトムケース１２０は、矩形板状の基壁１２０ａおよび基壁１２０ａの周縁から立設された前後左右の側壁１２０ｂを有し、全体として上面が開放された矩形箱状に形成されている。前後の側壁１２０ｂの外面には複数の取付溝１２１が形成されている。取付溝１２１は、上方に開口する挿入溝部１２１ａと挿入溝部１２１ａの下部から後方に延びる係止溝部１２１ｂとから構成され、左右方向から見たときにＬ字状に形成されている。
【００２６】
トップケース１３０は、矩形板状の基壁１３０ａおよび基壁１３１ａの周縁から下方に立設された前後左右の側壁１３０ｂを有し、全体として下面が開放された矩形箱状に形成されている。前後の側壁１３０ｂの内面には、ボトムケース１２０の取付溝１２１と同じ数および同じ配置間隔の取付突起１３１が形成されている。トップケース１３０は、取付突起１３１をボトムケース１２０の取付溝１２１（挿入溝部１２１ａ）に上方から挿入してボトムケース１２０の上方開口を覆い、その後、ボトムケース１２０に対してトップケース１３０を後方（閉止方向）にスライド移動させて取付突起１３１を取付溝１２１の係止溝部１２１ｂに挿入させることにより、ボトムケース１２０に閉止状態で装着（保持）されるように構成されている。
【００２７】
基板ケース１１０は、このようにトップケース１３０がボトムケース１２０に閉止状態で装着され、ボトムケース１２０およびトップケース１３０に囲まれて形成されるケース内部に主制御基板４１を収容するように構成されている。このように主制御基板４１を収容した状態において、基板ケース１１０を閉止状態において封印する封印機構１４０が設けられている。
【００２８】
なお、トップケース１３０には、主制御基板４１のコネクタ（図示省略）の実装位置に対応して表裏貫通するコネクタ挿抜口（図示せず）が形成されており、主制御基板４１が基板ケース１１０内に収容された状態において、主制御基板４１のコネクタがコネクタ挿抜口を通して外部に露出し、演出制御基板４２や払出制御基板４３等とハーネス（コネクタケーブル）を介して電気接続可能となる。
【００２９】
封印機構１４０は、図３および図１１に示すように、ボトムケース１２０の前側の側壁１２０ｂに形成されたボトム側係合部１５０と、トップケース１３０の前側の側壁１３０ｂに形成され、トップケース１３０がボトムケース１２０に装着された状態においてボトム側係合部１５０と係合するトップ側係合部１６０と、ボトム側係合部１５０に貼付される封印シール１７０と、封印シール１７０を覆うようにしてボトム側係合部１５０に装着されるシールカッター１８０と、シールカッター１８０をボトム側係合部１５０に固定状態で取り付けるための二つのワンウェイネジ１９０とを有して構成されている。ワンウェイネジ１９０は、締め付け方向の逆方向には工具の引っかかりがなく回すことができないように構成されたネジである。
【００３０】
ボトム側係合部１５０は、図３〜図５に示すように、ボトムケース１２０の基壁１２０ａに一体に繋がる矩形板状の基壁１５０ａ、および基壁１５０ａの周縁から立設されボトムケース１２０の前側の側壁１２０ｂに一体に繋がる左右および前側の側壁１５０ｂを有して構成されている。基壁１５０ａの上面には、封印シール１７０が貼付されるシール貼付部１５１と、シールカッター１８０を固定状態で取り付けるためのカッター取付部１５２とが形成されている。
【００３１】
シール貼付部１５１は、左右方向に延びるとともに上部が左右方向から見て略台形状に形成され、その上部の傾斜面１５１ａの下端部がボトム側係合部１５０の前側の側壁１５０ｂの上端部に繋がるように設けられている。前側の側壁１５０ｂにおける傾斜面１５１ａと繋がった部分（中央部分）は、前側の側壁１５０ｂの他の部分（左右端側の部分）よりも後方側に凹んだ段差形状になっている。シール貼付部１５１の上部には、前後および上方に開口した矩形状の溝部１５１ｂが左右方向に三つ並んで形成されている。シール貼付部１５１の左右端部にはそれぞれ、前後方向に延びる平板状の係合壁１５１ｃがシール貼付部１５１の左右端部に繋がって設けられている。左右の係合壁１５１ｃは、シール貼付部１５１の左右端部の形状と同様の形状、且つ当該左右端部よりも若干大きく形成され、シール貼付部１５１と繋がる部分において段差を有している。
【００３２】
カッター取付部１５２は、上下方向に延びる二つの円柱部材により構成され、シール貼付部１５１の後方位置であってシール貼付部１５１と基壁１５０ａがボトムケース１２０の基壁１２０ａに繋がる部分との間の位置に、左右方向に並んで設けられている。左右のカッター取付部１５２の上面にはそれぞれ、カッター取付部１５２の内部を下方に延びる雌ネジ１５２ａが形成されている。
【００３３】
トップ側係合部１６０は、図３、図６および図７に示すように、トップケース１３０の基壁１３０ａに一体に繋がる矩形板状の基壁１６０ａ、および基壁１６０ａの周縁から下方に立設されトップケース１３０の前側の側壁１３０ｂに一体に繋がる左右および前側の側壁１６０ｂを有して構成されている。前側の側壁１６０ｂの内面（後面）には、後方に延びる平板状の係合アーム１６１が左右方向に所定の間隔を置いて二つ並んで形成されている。左側の係合アーム１６１の右面の先端部（後部）には、前方にいくにつれて係合アーム１６１の厚みが厚くなるように傾斜した傾斜面とその傾斜面の前部に繋がって上下左右に広がる係合面とを有する係合爪１６１ａが形成されている。右側の係合アーム１６１の左面の先端部にも同様の係合爪１６１ａが形成されている。
【００３４】
トップ側係合部１６０の基壁１６０ａの内面（下面）には、左右方向に延びる矩形状の薄肉部１６２が形成されている。薄肉部１６２は、基壁１６０ａの厚みが他の部分よりも薄くなるように基壁１６０ａの内面に形成された凹部によって構成されている。この薄肉部１６２は、封印機構１４０により閉止状態において封印された基板ケース１１０を開放させるときに切断される切断部になっている。
【００３５】
封印シール１７０は、図８に示すように、矩形状のシート部材１７１と、シート部材１７１の表面の略中央にプリントされたＱＲコード（登録商標）１７２とを有して構成されている。ＱＲコード（登録商標）１７２には、ぱちんこ遊技機ＰＭに関する情報や主制御基板４１の識別情報等、種々の情報が格納されており、これらの格納情報は基板ケース１１０の外部からでもリーダによって読み取り可能となっている。シート部材１７１の周縁部にはギザギザ状の切り込み１７１ａが形成されており、封印シール１７０を剥がすときに、この切り込み１７１ａの谷部に応力集中が生じてシート部材１７１が破断され易いように構成されている。
【００３６】
シールカッター１８０は、図９および図１０に示すように、矩形平板状の基壁１８０ａ、および基壁１８０ａの前端部から下方に設けられ基壁１８０ａと略直交する矩形平板状の前壁１８０ｂとを有して構成されている。前壁１８０ｂの左右幅は基壁１８０ａよりも若干大きく形成され、前壁１８０ｂの左右端部がそれぞれ基壁１８０ａの左右端部よりも左右方向の若干突出している。前壁１８０ｂの後面の左右端部にはそれぞれ、後方に延びる平板状の係合アーム１８１が形成されている。左側の係合アーム１８１の右面の先端部（後部）には、前後方向に円弧状の面を有する内側係合爪１８１ａが形成されている。右側の係合アーム１８１の左面の先端部にも同様の内側係合爪１８１ａが形成されている。また、左側の係合アーム１８１の左面の先端部には、後方にいくにつれて係合アーム１８１の厚みが厚くなるように傾斜した傾斜面を有する外側係合爪１８１ｂが形成されている。右側の係合アーム１８１の右面の先端部にも同様の外側係合爪１８１ｂが形成されている。
【００３７】
シールカッター１８０の基壁１８０ａの上面の略中央には、上下貫通して左右方向に延びる矩形状の貫通孔１８２が左右方向に三つ並んで形成されている。これらの貫通孔１８２は、封印機構１４０により閉止状態において封印された基板ケース１１０を開放させるときに切断される切断部になっている。
【００３８】
シールカッター１８０の基壁１８０ａの下面には、三つの貫通孔１８２の後方位置であって基壁１８０ａがトップケース１３０の基壁１３０ａに繋がる部分と貫通孔１８２との間の位置に、上下方向に延びる円柱状の固定部１８３が左右方向に所定の間隔（ボトム側係合部１５０の左右のカッター取付部１５２に対応した間隔）を置いて二つ並んで形成されている。左右の固定部１８３の下面にはそれぞれ、ボトム側係合部１５０のカッター取付部１５２を挿入可能な大きさの円形状の挿入凹部１８３ａが形成されている。基壁１８０ａの上面には、左右の固定部１８３の上方位置において、円形状に凹んだネジ装着凹部１８４が形成されている。左右の固定部１８３の内部にはそれぞれ、ネジ装着凹部１８３の底部から下方に延びて挿入凹部１８３ａに繋がるネジ挿通孔１８３ｂが形成されている。
【００３９】
また、シールカッター１８０の基壁１８０ａの下面には、三つの貫通孔１８２の前方位置であって貫通孔１８２と前壁１８０ｂの間の位置（本実施形態では貫通孔１８２の近傍位置）に、前端部が細く鋭くなった形状の破断部１８５が左右方向に三つ並んで形成されている。基壁１８０ａおよび前壁１８０ｂには、真ん中の破断部１８５の前方位置において、上下方向および前後方向に開口した開口部１８６（窓部）が形成されている。
【００４０】
［主制御基板ケースユニットの作用］
次に、このように構成される主制御基板ユニット１００の作用について、図３および図１１〜図１７を用いて説明する。主制御基板ケースユニット１００を組み立てるには、まず始めに、トップケース１３０の内面側に主制御基板４１をネジ止め固定してトップケース１３０に主制御基板４１を取り付ける。
【００４１】
また、図１１に示すように、ボトムケース１２０のボトム側係合部１５０において、封印シール１７０をシール貼付部１５１の後面、上面および傾斜面１５１ａにこれらの面に跨るようにして貼り付ける。このとき、封印シール１７０は略コ字状に折り曲げられた状態でシール貼付部１５１に貼り付けられ、シール貼付部１５１に形成された三つの溝部１５１ｂが封印シール１７０によって覆い隠された状態となる。また、封印シール１７０のＱＲコード（登録商標）１７２が真ん中の溝部１５１ｂの前方位置に配置された状態となる。
【００４２】
次に、シールカッター１８０の左右の固定部１８３の挿入凹部１８３ａにボトム側係合部１５０の左右のカッター取付部１５２の上部を挿入させるようにしてシールカッター１８０をボトム側係合部１５０に取り付ける。このとき、左右の固定部１８３内のネジ挿通孔１８３ｂと左右のカッター取付部１５２の雌ネジ１５２ａとがそれぞれ連通するようになっている。そして、二つのワンウェイネジ１９０をそれぞれシールカッター１８０のネジ装着凹部１８４、ネジ挿通孔１８３ｂおよびカッター取付部１５２の雌ネジ１５２ａに挿入し、二つのワンウェイネジ１９０によってシールカッター１８０をカッター取付部１５２に締め付ける。これによりシールカッター１８０がボトム側係合部１５０に固定状態で取り付けられる。このとき、ワンウェイネジ１９０の頭部がネジ装着凹部１８４内に入り込んだ状態となる。
【００４３】
このようにシールカッター１８０がボトム側係合部１５０に取り付けられると、シール貼付部１５１に貼付された封印シール１７０の上面および前面がシールカッター１８０によって覆われた状態となる。また、シールカッター１８０の三つの破断部１８５が封印シール１７０の後面の後方位置に配置され、封印シール１７０によって覆い隠されたシール貼付部１５１の三つの溝部１５１ｂの後方開口と三つの破断部１８５とがそれぞれ前後方向に対向して配置される。また、シールカッター１８０の開口部１８６が封印シール１７０のＱＲコード（登録商標）１７２と上下および前後方向に対向して配置され、この開口部１８６を介して外部からＱＲコード（登録商標）１７２を視認可能になっている。また、図１４に示すように、シールカッター１８０の左側の係合アーム１８１の右面がボトム側係合部１５０の左側の係合壁１５１ｃの左面に近接し、左側の係合アーム１８１の内側係合爪１８１ａが左側の係合壁１５１の後面に係合（当接）するようになっている（図１４において破線の円によって示した部分を参照）。同様に、右側の係合アーム１８１の左面が右側の係合壁１５１ｃの右面に近接し、右側の係合アーム１８１の内側係合爪１８１ａが右側の係合壁１５１の後面に係合（当接）するようになっている。
【００４４】
次に、図３に示すように、トップケース１３０の取付突起１３１をボトムケース１２０の取付溝１２１（挿入溝部１２１ａ）に上方から挿入してトップケース１３０によってボトムケース１２０の上方開口を覆い、その後、ボトムケース１２０に対してトップケース１３０を後方（閉止方向）にスライド移動させて取付突起１３１を取付溝１２１の係止溝部１２１ｂに挿入させる。これによりトップケース１３０がボトムケース１２０に閉止状態で保持（装着）され、ボトムケース１２０およびトップケース１３０に囲まれて形成されたケース内部に主制御基板４１が収容される。
【００４５】
このようにトップケース１３０がボトムケース１２０に装着されると、図１２および図１３に示すように、ボトム側係合部１５０とトップ側係合部１６０が係合し、ボトム側係合部１５０およびトップ側係合部１６０に囲まれて形成された内部空間に封印シール１７０およびシールカッター１８０が収容される。このとき、シールカッター１８０の三つの貫通孔１８２がトップ側係合部１６０の薄肉部１６２の下方位置に配置され、三つの貫通孔１８２と薄肉部１６２が上下方向に対向して配置される。
【００４６】
また、上記のようにトップケース１３０をスライド移動させてボトムケース１２０に取り付けるときには、トップ側係合部１６０の左側の係合アーム１６１の係合爪１６１ａの傾斜面が、シールカッター１８０の左側の係合アーム１８１の外側係合爪１８１ｂの傾斜面に当接し、当該スライド移動に応じて係合爪１６１ａが左方に移動するように係合アーム１６１が変形する。そして、トップケース１３０がボトムケース１２０に完全に取り付けられると、図１４に示すように、トップ側係合部１６０の左側の係合アーム１６１の係合爪１６１ａの係合面が、シールカッター１８０の左側の係合アーム１８１の後面に係合（当接）するようになっている（図１４において破線の円によって示した部分を参照）。トップ側係合部１６０の右側の係合アーム１６１も同様に変形し、トップケース１３０がボトムケース１２０に完全に取り付けられると、右側の係合アーム１６１の係合爪１６１ａの係合面が、シールカッター１８０の右側の係合アーム１８１の後面に係合（当接）するようになっている。
【００４７】
このように、シールカッター１８０が二つのワンウェイネジ９０によってボトム側係合部１５０に固定状態で取り付けられ、そのシールカッター１８０の左右の係合アーム１８１とトップ側係合部１６０の左右の係合アーム１６１とがそれぞれ係合することにより、ボトムケース１２０に対してトップケース１３０が前方（開放方向）にスライド移動することが規制される。その結果、ボトムケース１２０とトップケース１３０が閉止状態且つロック状態で一体化され、主制御基板ケースユニット１００が組み立てられることとなる。このように組み立てられた状態では、ボトム側係合部１５０（シール貼付部１５１）に貼付された封印シール１７０のＱＲコード（登録商標）１７２の格納情報を、透明なトップ側係合部１６０およびシールカッター１８０の開口部１８６を介して、外部からリーダを用いて読み取ることが可能になっている。
【００４８】
次に、基板ケース１１０を開放するには、まず始めに、図１５(ａ)に示すように、トップ側係合部１６０の薄肉部１６２をカッター等の工具を用いて切断し、トップ側係合部１６０の基壁１６０ａに上下貫通した穴を空ける。そして、図１５(ｂ)に示すように、その穴にニッパー等の工具を差し込み、その工具を用いてシールカッター１８０の三つの貫通孔１８２の間をそれぞれ繋ぐ全ての連結部分と、その連結部分の延長線上の基壁１８０ａと（図１７(ａ)において破線の楕円によって示した部分）を切断する。このように切断されると、シールカッター１８０は、左右の固定部１８３を有しボトム側係合部１５０に固定された部分（これを固定部分Ａと称する）と、左右の係合アーム１８１および三つの破断部１８５を有する部分（これを破断部分Ｂと称する）とに分断される。このようにシールカッター１８０が固定部分Ａと破断部分Ｂに分断されると、シールカッター１８０の破断部分Ｂはボトム側係合部１５０に対する固定状態が解除されるため、ボトムケース１２０に対してトップケース１３０が開放方向（前方）にスライド移動可能な状態となる。
【００４９】
そして、ボトムケース１２０に対してトップケース１３０を開放方向（後方）にスライド移動させることにより基板ケース１１０が開放される。トップケース１３０を開放方向にスライド移動させると、上述したようにシールカッター１８０の左右の係合アーム１８１とトップ側係合部１６０の左右の係合アーム１６１とがそれぞれ係合しているため、図１６および図１７に示すように、シールカッター１８０の破断部分Ｂがトップ側係合部１６０（トップケース１３０）と一緒に開放方向にスライド移動する。このとき、シールカッター１８０の三つの破断部１８５がそれぞれ、シール貼付部１５１に貼付された封印シール１７０の後面に当接し、当該スライド移動に応じてシール貼付部１５１の三つの溝部１５１ｂ内を通過しながら封印シール１７０を破断するようになっている。具体的には、封印シール１７０のＱＲコード（登録商標）１７２が、リーダを用いてもＱＲコード（登録商標）１７２の格納情報を読み取り不能になる程度に破断部１８５によって破断されるようになっている。なお、シールカッター１８０の固定部分Ａは、シールカッター１８０を切断して基板ケース１１０を開放させた痕跡としてボトム側係合部１５０（ボトムケース１２０）に固定状態で取り付けられたままとなる。
【００５０】
シールカッター１８０の破断部分Ｂがトップ側係合部１６０（トップケース１３０）と一緒に開放方向にスライド移動するときには、図１７に示すように、シールカッター１８０の左側の係合アーム１８１の内側係合爪１８１ａがボトム側係合部１５０の左側の係合壁１５１ｃに当接し、当該スライド移動に応じて内側係合爪１８１ａが左方（トップ側係合部１６０の左側の係合アーム１６１に近づく方向）に移動するように係合アーム１８１が変形する。シールカッター１８０の右側の係合アーム１８１も同様に、内側係合爪１８１ａが右方（トップ側係合部１６０の右側の係合アーム１６１に近づく方向）に移動するように変形する。このようにシールカッター１８０の左右の係合アーム１８１が変形することにより、当該左右の係合アーム１８１とトップ側係合部１６０の左右の係合アーム１６１とをより強固に係合させるようになっている。これにより、シールカッター１８０の破断部分Ｂを確実にトップ側係合部１６０（トップケース１３０）と一緒に開放方向にスライド移動させることができ、封印シール１７０を確実に破断させることができるようになっている。
【００５１】
以上、本実施形態に係る主制御基板ケースユニット１００によれば、シールカッター１８０が二つのワンウェイネジ１９０によってボトム側係合部１５０に固定状態で取り付けられ、そのシールカッター１８０の左右の係合アーム１８１とトップ側係合部１６０の左右の係合アーム１６１とがそれぞれ係合することにより、ボトムケース１２０に対してトップケース１３０が開放方向にスライド移動することが規制される構成である。そのため、基板ケース１１０の不正な開放を防止して、主制御基板４１に対する不正な改造行為を受け難くすることが可能である。
【００５２】
また、基板ケース１１０を開放させたときには、トップケース１３０にはトップ側係合部１６０の薄肉部１６２を切断した痕跡が残り、シールカッター１８０には固定部分Ａと破断部分Ｂとに分断した痕跡が残り、封印シール１７０にはシールカッター１８０により破断された痕跡が残る。さらに、ボトムケース１２０には分断されたシールカッター１８０の固定部分Ａがボトム側係合部１５０に固定状態で取り付けられたままとなる。そのため、主制御基板ケースユニット１００を構成するボトムケース１２０、トップケース１３０、封印シール１７０およびシールカッター１８０のいずれにおいても、痕跡を残さずに無傷の状態とすることは困難である。したがって、複数の中古機等から同型の基板ケース（１１０）を取り出し、これらの中からケース構成部品を無傷の状態でそれぞれ抽出して適宜に組み合わせることにより、１個の新たな基板ケース（１１０）を複製し、これを正規品とすり替える、所謂二個一（ニコイチ）と称される不正行為を未然に防止することが可能である。このように本実施形態によれば、不正行為の予防および早期発見に寄与することが可能であるという効果を奏する。
【００５３】
なお、本発明は、上記実施形態に限定されるものではなく、本発明の要旨を逸脱しない範囲であれば適宜改良可能である。上述の実施形態では、シールカッター１８０が、ボトム側係合部１５０に固定状態で取り付けられるとともに、トップ側係合部１６０の左右の係合アーム１６１と係合することにより、ボトムケース１２０に対してトップケース１３０が開放方向にスライド移動することが規制される構成について説明した。しかしながら、このような構成の他に、トップケース１３０が開放方向にスライド移動することを規制してボトムケース１２０およびトップケース１３０を閉止状態且つロック状態とするロック機構（所謂カシメ機構）を備える構成としてもよい。そのように構成すれば、封印機構およびロック機構により不正開放防止機構を多重化させることができ、基板ケース１１０の不正な開放をより確実に防止することができる。
【００５４】
また、上述の実施形態では、シールカッター１８０がワンウェイネジ１９０によってボトム側係合部１５０に固定状態で取り付けられる構成について説明したが、超音波溶着や振動溶着などの所定の溶着手段、もしくはフェノール樹脂系やエポキシ系の接着剤などを用いて、シールカッター１８０をボトム側係合部１５０に固定状態で取り付けるようにしてもよい。また、上述の実施形態では、トップ側係合部１６０において、薄肉部１６２が基壁１６０ａの下面に形成される構成について説明したが、薄肉部１６２を基壁１６０ａの上面に形成してもよい。また、薄肉部１６２によって切断部を構成するのではなく、シールカッター１８０と同様に、複数の貫通孔によって切断部を構成してもよい。
【００５５】
また、上述の実施形態において、主制御基板ケースユニット１００が組み立てられたときに、シールカッター１８０の開口部１８６および封印シール１７０のＱＲコード（登録商標）１７２と対向配置されるトップ側係合部１６０の基壁１６０ａおよび前側の側壁１６０ｂの一部を、ＱＲコード（登録商標）１７２と略平行となる形状に形成してもよい（面取りを行ってもよい）。このような形状とすれば、外部からリーダを用いてＱＲコード（登録商標）１７２の格納情報を読み取るときに、トップ側係合部１６０の角部が邪魔になることがなく、より一層読み取り易くすることができる。
【００５６】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００５７】
４１  主制御基板
１００  主制御基板ケースユニット
１１０  基板ケース
１２０  ボトムケース（第１ケース部材）
１３０  トップケース（第２ケース部材）
１５０  ボトム側係合部
１６０  トップ側係合部
１６１  係合アーム（ケース側係合部）
１７０  封印シール
１８０  シールカッター（シール破断部材）
１８１  係合アーム（破断側係合部）
【図１】
2015204923.tif 000003
【図２】
2015204923.tif 000004
【図３】
2015204923.tif 000005
【図４】
2015204923.tif 000006
【図５】
2015204923.tif 000007
【図６】
2015204923.tif 000008
【図７】
2015204923.tif 000009
【図８】
2015204923.tif 000010
【図９】
2015204923.tif 000011
【図１０】
2015204923.tif 000012
【図１１】
2015204923.tif 000013
【図１２】
2015204923.tif 000014
【図１３】
2015204923.tif 000015
【図１４】
2015204923.tif 000016
【図１５】
2015204923.tif 000017
【図１６】
2015204923.tif 000018
【図１７】
2015204923.tif 000019